(57)【特許請求の範囲】
【請求項１】
胴部と、肩ベルトと、把持部と、脚部と、座部を備え、
胴部が、上下に延びていて、前側に肩ベルトを設けてあり、
把持部が、胴部の上部に設けてあり、
脚部が、胴部の下部の左右両側から下方に延びていて、上下に延びる胴部に対して前側に傾斜しており、背負人が直立すると地面に接地し、背負人が前傾すると地面から離れるものであり、
座部が、胴部の後側に設けてあって、少なくとも後側面から上側面にかけて着座可能であることを特徴とする背負子。
【請求項２】
左右の脚部が、下方に向けて左右方向の外側に広がっていることを特徴とする請求項１記載の背負子。
【請求項３】
脚部が、着脱自在かつ／または伸縮自在であることを特徴とする請求項１または２記載の背負子。
【発明の詳細な説明】
【技術分野】
【０００１】
本発明は、人を背負うための背負子に関する。
【背景技術】
【０００２】
従来、荷物を人力で運搬するための道具として、荷物を背中に背負うための背負子が用いられている。たとえば、特許文献１に示すのは、草刈り用のエンジンや薬剤散布用のタンクを背負うことを目的としたものであり、略Ｌ字形の背負子本体と、背負子本体の下方に設けた脚を備えている。背負子本体は、荷物を載せるためのものであって、前側に肩ベルトを有しており、脚は、下端が後方に向けて折り曲げて形成してある。脚をこのような形状にすることで、草刈りなど前屈みの作業時には地面に当接せず、略直立状態のときには、脚が地面に当接し、作業者の肩にかかる荷重を軽減できる。
【０００３】
ところで近年、災害時において、要救助者を背負って移送するための道具が求められている。従来、おんぶ紐型の移送具が存在するが、補助台に要救助者を乗せるなどしなければ乗降が困難であり、また背負った後も、補助台がなければ休憩できない点が問題であった。また、背負子型のものも提案されており、特許文献２に示すのはその一例であって、椅子形の本体の背もたれ部に肩ベルトを取り付けた構造となっている。
【先行技術文献】
【特許文献】
【０００４】
【特許文献１】特開平１１−３２５４４号公報
【特許文献２】登録実用新案第３１９２１５４号公報
【発明の概要】
【発明が解決しようとする課題】
【０００５】
しかしながら、要救助者を移送する場合、背負う人の体重と同等かそれ以上の体重の人を背負うことも想定されるが、特許文献２のような従来の背負子では、要救助者を乗せた背負子を背負った状態から立ち上がる際には、要救助者の体重＋背負子の重量をそのまま持ち上げることになるため、自力で立ち上がることが困難であった。また、補助者の補助などにより立ち上がったとしても、途中で休憩することができないので、長距離を移送することが困難であった。そして、仮に特許文献１のような後方に折り曲げた脚を有していたとしても、人を乗せた背負子が背負う人の背中に寄り掛かることになり、脚を接地させて休憩姿勢をとることも、休憩姿勢から歩行に移ることも困難である。
【０００６】
本発明は、上記事情を鑑みたものであり、人を乗せて背負うことが容易であり、かつ移送中に休憩姿勢をとることが可能な背負子を提供することを目的とする。
【課題を解決するための手段】
【０００７】
本発明のうち請求項１の発明は、胴部と、肩ベルトと、把持部と、脚部と、座部を備え、胴部が、上下に延びていて、前側に肩ベルトを設けてあり、把持部が、胴部の上部に設けてあり、脚部が、胴部の下部の左右両側から下方に延びていて、上下に延びる胴部に対して前側に傾斜しており、背負人が直立すると地面に接地し、背負人が前傾すると地面から離れるものであり、座部が、胴部の後側に設けてあって、少なくとも後側面から上側面にかけて着座可能であることを特徴とする。なお、「背負人」とは、本発明の背負子を背負う人のことである。また、「地面」とは、背負人が立つ面であり、屋外の地面や屋内の床面など、種々の面を含む。さらに、座部が「少なくとも後側面から上側面にかけて着座可能である」とは、胴部を上下に延びる向きにした状態における、座部の後側面、上側面およびその中間面について、各面を上側に向けた状態で上側から着座可能であることを示す。
【０００８】
本発明のうち請求項２の発明は、左右の脚部が、下方に向けて左右方向の外側に広がっていることを特徴とする。
【０００９】
本発明のうち請求項３の発明は、脚部が、着脱自在かつ／または伸縮自在であることを特徴とする。
【発明の効果】
【００１０】
本発明のうち請求項１の発明によれば、人を乗せて背負うことが容易である。すなわち、脚部を接地させ、胴部を寝かせた状態で、人を胴部に跨らせ、臀部を座部の上側面（胴部を寝かせた状態における座部の上側面＝胴部を上下に延びる向きにした状態における座部の後側面）に着座させ、把持部を握らせる。この状態から、背負う人は、胴部の上端部を持ち、接地した脚部の先端を支点にして、乗せた人ごと脚部が略垂直向きになるまで背負子を起こす。この際、支点から乗せた人の位置（作用点）までの距離よりも、支点から背負う人が持つ位置（力点）までの距離の方が長いので、乗せた人および背負子に働く重力よりも小さな力で起こすことができる。そして、肩ベルトに腕を通すことで、人を乗せた背負子を背負った状態となる。そのまま前傾姿勢になると、脚部が持ち上がって地面から離れるので、歩行することができる。また、歩行中に休憩する際には、前傾姿勢から体を起こして直立すれば、脚部の先端が接地するので、背負う人の肩にかかる荷重を軽減させることができる。この際、脚部が上下に延びる胴部に対して前側に傾斜しているので、接地点が背負われる人の略真下に位置することになり、安定した休憩姿勢となる。
【００１１】
本発明のうち請求項２の発明によれば、脚部が左右に広がっているので、人を乗せて起こすときおよび休憩姿勢のときの安定性が向上するとともに、脚部が背負う人に当たることがなく、歩行時の障害にならない。
【００１２】
本発明のうち請求項３の発明によれば、背負った後で、脚部を取り外すかまたは縮めることにより、特に足場が悪い場所などにおいて、脚部が意図せず接地して歩行の障害となることを防ぐ。また、脚部が着脱自在である場合、外した脚部を杖として用いることもできる。さらに、脚部が伸縮自在である場合、背負う人の体格に合わせて長さを調節することもできる。
【図面の簡単な説明】
【００１３】
【図１】本発明の背負子の三面図であり、（ａ）は平面図、（ｂ）は正面図、（ｃ）は側面図である。
【図２】脚部の長さの説明図であり、（ａ）は背負人が直立した状態、（ｂ）は背負人が前傾した状態である。
【図３】（ａ）〜（ｆ）は、背負子により被背負人を背負う動作の説明図である。
【図４】座部の説明図であり、（ａ）は胴部を寝かせた状態、（ｂ）は胴部を起こした状態を示す。
【図５】休憩姿勢における安定性の説明図であり、（ａ）は脚部が前側に傾斜していない場合、（ｂ）は脚部が前側に傾斜している場合を示す。
【図６】従来のおんぶ紐型移送具と、本発明の背負子による歩行実験の結果を示すグラフである。
【発明を実施するための形態】
【００１４】
本発明の背負子の具体的な構成について、各図面に基づいて説明する。なお、以下においては、背負う人を背負人、背負われる人を被背負人とよぶ。また、図１に示すように、起立した状態に基づき説明するものであり、前後左右とは、背負人が背負った状態における、背負人から見た前後左右に一致する。この背負子は、図１に示すように、胴部１と、肩ベルト２と、把持部３と、脚部４と、座部５を備える。肩ベルト２以外の各部は、金属製の丸パイプを組み合わせて構成されるものであり、パイプ同士の接合方法は、溶接によるものや、既存の継手部材によるものなど、どのようなものであってもよく、以下、接合部分についての説明および図示を省略する。
【００１５】
胴部１は、上下に延びる左右２本の主管１１を、左右に延びる２本の連結管１２により連結して梯子形に組んだものである。被背負人が胴部１に跨るので、２本の主管１１の間隔（＝連結管１２の長さ）は、人の胴体の幅よりも狭いものであることが望ましい。主管１１の上端部には、左右に延びる把持部３を取り付けてある。把持部３の左右方向長さは、連結管１２よりも長いものとなっている。
【００１６】
また、左右の主管１１の上下方向中央部よりやや下寄りの位置には、それぞれ脚部４を支持するための支持管４１を取り付けてある。支持管４１は、上下に延びる主管１１に対して、前側に約２０度、左右方向外側に約２０度傾斜した向きに設けてあり、主管１１の下端部と支持管４１の間にステー４２を設けてある。さらに、支持管４１には、脚部４を取り付けるための取付部４３を設けてある。取付部４３の下側には、雌ネジ部を設けてある。そして、脚部４は、主管１１と同程度の長さのものであって、上端部に取付部４３の雌ネジ部と螺合する雄ネジ部を設けてあり、取付部４３に対して着脱自在となっている。取付部４３に脚部４を取り付けると、脚部４は支持管４１に沿う形になり、すなわち、胴部１の左右の主管１１の下部から下方に延びて、上下に延びる胴部に対して前側に約２０度傾斜し（図１（ｃ）のα）、かつ左右方向外側に約２０度傾斜して（図１（ｂ）のβ）、下方に向けて左右方向の外側に広がる。また、脚部４の下端部には、ゴム製のキャップ４４を取り付けてあり、接地時の衝撃を吸収し、かつ滑り止めとなっている。なお、胴部１と脚部４を合わせた背負子全体の高さは、背負人の身長と略同程度であることが望ましい。また、脚部４の長さは、図２（ａ）に示すように、背負人Ａが背負子を背負った状態で直立すると、先端が地面に接地し、図２（ｂ）に示すように、前傾すると、先端が地面から離れるような長さとなっている。
【００１７】
さらに、左右の主管１１の上下方向中央部には、後側に向けて延びる延出管５１を設けてあり、延出管５１と主管１１の間にステー５２を設けてある。そして、延出管５１の後端部に、左右に延びる座部５を取り付けてある。座部５の左右方向長さは、連結管１２よりも長く、把持部３よりも短いものとなっており、座部５は全体をウレタンなどのクッション性のある素材で覆ってある。
【００１８】
また、胴部１の前側には、肩ベルト２を設けてある。肩ベルト２は、リュックサックなどに用いられているものと同様の左右一対のものであり、長さ調節が可能であって、肩に当たる部分はクッション性のある素材で形成されている。そして、上端部は、下側の連結管１２に接続してあり、下端部は、左右の支持管４１に接続してある。
【００１９】
そして、胴部１の後側面の上側部には、被背負人の胸部が当接する胸当６を設けてある。また、胴部１の前側面の上下方向中央部には、背負人の腰部が当接する腰当７を設けてある。さらに、主管１１の延出管５１を取り付けた位置の上側部は、筒状の緩衝材８で覆ってあり、被背負人の脚が接触しても痛くならないようにしてある。
【００２０】
次に、図３に基づき、このように構成した背負子により、人を背負う際の動作について説明する。まず、図３（ａ）に示すように、脚部４の先端を地面に設置させた状態で、背負人Ａが把持部３の内側部分（左右の主管１１の間の部分）を把持し、座部５を上側にして、胴部１が略水平向きになるように、背負子を寝かせる。そして、被背負人Ｂは、寝かせた胴部１に跨り、図４（ａ）に示すように、臀部を座部５の上側面（胴部１を寝かせた状態における座部５の上側面＝胴部１を上下に延びる向きにした状態における座部５の後側面）に着座させ、把持部３の外側部分（左右の主管１１の外側の部分）を握る。このとき、背負人Ａは後側（背負子側）を向いて屈んだ状態であり、被背負人Ｂは、前側を向いて地面に足を着けた状態である。この状態から、図３（ｂ）に示すように、背負人Ａは、立ち上がりながら、接地した脚部４の先端を支点にして被背負人Ｂごと把持部３を持ち上げ、図３（ｃ）に示すように、脚部４が略垂直向きになるまで起こす。この状態で、背負子の高さは、背負人Ａの身長と略同程度であり、被背負人Ｂの位置は、背負人Ａよりも頭一つ分程度高くなる。また、被背負人Ｂの胸部は、胸当６に当接している。さらに、胴部１の主管１１の跨っている部分は、緩衝材８で覆ってあるので、被背負人Ｂの脚が接触しても痛くならない。また、被背負人Ｂの臀部は、図４（ｂ）に示すように、胴部１を上下に延びる向きにした状態における座部５の上側面に着座している。座部５はパイプからなるものであり、後側面から上側面にかけて着座可能、すなわち、胴部１を上下に延びる向きにした状態における、座部５の後側面、上側面およびその中間面について、各面を上側に向けた状態で上側から着座可能であるから、背負子を寝かせた状態から起こすにしたがって、被背負人Ｂの臀部が自然に座部５の後側面から上側面に移行するものである。続いて、図３（ｄ）に示すように、背負人Ａは、被背負人Ｂを乗せた背負子を支持したまま、身体を反転させて前を向き、腕を肩ベルト２に通す。図３（ｅ）に示すように、両方の肩ベルト２に腕を通したら、肩ベルト２の長さを調節し、腰部を腰当７に当接させて、背負子を背負人Ａの身体に密着させる。そして、図３（ｆ）に示すように、背負人Ａが身体を前傾させ、背負子を肩と腰に乗せるようにすると、脚部４が持ち上がって先端が地面から離れ、歩行することができる。
【００２１】
このようにして背負子を背負う際には、被背負人Ｂを乗せた背負子を起こす動作（図３（ａ）〜（ｃ））が最も力を要するが、地面に接地した脚部４の先端（支点）から被背負人Ｂの位置（作用点）までの距離よりも、支点から背負人Ａが持つ把持部３の位置（力点）までの距離の方が長いので、背負人Ａは、被背負人Ｂおよび背負子に働く重力よりも小さな力で背負子を起こすことができる。この際、被背負人Ｂを乗せるための補助台などは必要ない。そして、起こした状態で、被背負人Ｂの位置は背負人Ａよりも高くなるので、それ以上持ち上げる必要はない。また、脚部４が左右に広がっているので、背負子を起こすときの安定性が高い。よって、被背負人Ｂを乗せた状態の背負子を容易に背負うことができるので、災害時などにおいて、安全かつ迅速に要救助者を移送できる状態にすることができる。そして、背負人Ａが非力な場合でも、移送が可能である。
【００２２】
一方、被背負人Ｂを降ろす際には、上記の背負う際の動作と逆の動作をすればよい。この場合も補助台などは必要なく、容易に下ろすことができる。さらに、被背負人Ｂを背負子に載せて起こした状態のまま、背負人Ａが交代することも容易であり、複数人で被背負人Ｂを移送できる。
【００２３】
また、このように背負子を背負った状態で歩行する際、脚部４が左右に広がっているので、脚部４が背負人Ａに当たることがない。そして、脚部４が着脱自在であるから、背負った後で、脚部４を取り外すことにより、特に足場が悪い場所などにおいて、脚部４が意図せず接地して歩行の障害となることを防ぐことができ、また、外した脚部４を杖として用いることもできる。
【００２４】
さらに、背負子を背負った状態で歩行中に休憩する際には、背負人Ａが前傾姿勢から少し体を起こせば、脚部４の先端が接地するので、背負人Ａの肩にかかる荷重を軽減させることができる。この際、仮に脚部４が上下に延びる胴部１に対して傾斜していない（＝脚部４が胴部１と平行である）とすると、図５（ａ）に示すように、脚部４の先端の接地点が、被背負人Ｂの重心の地面への投影点よりも後側になる。なお、接地点を丸印、重心に働く重力方向を矢印で表してある。これでは、被背負人Ｂを乗せた背負子が背負人Ａの背中に寄り掛かることになり、背負人Ａの肩にかかる荷重が軽減されず、また不安定な状態となって、背負人Ａと被背負人Ｂの双方が不安を感じることになるので、休憩姿勢をとることも、休憩姿勢から歩行に移ることも困難である。しかしながら、本発明の背負子においては、脚部４が上下に延びる胴部１に対して前側に傾斜しているので、図５（ｂ）に示すように、接地点が被背負人Ｂの重心の略真下に位置する。これにより、背負人Ａの肩にかかる荷重が確実に軽減され、また安定な状態となって、背負人Ａと被背負人Ｂの双方が安心できる休憩姿勢となり、また休憩姿勢から歩行に移ることも容易である。
【００２５】
ここで、従来のおんぶ紐型移送具と、本発明の背負子を用いて、それぞれ人を移送した場合に、どれだけの距離を歩行できるかを比較した実験の結果を示す。本実験は、５分間の歩行距離を比較するもので、途中で休憩することは自由とした。１０人の被験者により、実験を行った結果を表すグラフが、図６に示すものである。グラフからわかるように、従来のおんぶ紐型移送具を用いた場合の歩行距離が平均値で２００ｍ程度であるのに対し、本発明の背負子を用いた場合の歩行距離は２５０ｍ以上であり、有意差が認められる結果となった。
【００２６】
また、本発明の背負子においては、脚部を伸縮自在なものとしてもよい。その場合、伸縮構造はどのようなものであってもよいが、たとえば、一般的な三脚の脚に用いられている構造とすればよい。脚部が伸縮自在であれば、脚部を伸ばした状態で、上記のようにして背負子を背負い、その後で脚部を縮めることにより、特に足場が悪い場所などにおいて、脚部が意図せず接地して歩行の障害となることを防ぐ。また、斜面で背負子を起こす場合には、平地で起こす場合よりも脚部が短い方が起こしやすく、その場合に、脚部の長さを調節できる。さらに、背負人の体格に合わせて、長さを調節することもできる。なお、本発明の脚部は、着脱不能で伸縮自在なものであってもよいし、着脱自在でかつ伸縮自在なものであってもよい。
【００２７】
本発明は、上記の実施形態に限定されない。たとえば、把持部の形状は、背負人と被背負人がそれぞれ握れるものであれば、どのような形状であってもよい。また、脚部の胴部に対する傾斜角度は、好ましくは１０度〜３０度、より好ましくは２０度程度であることが望ましい。さらに、脚部の着脱構造は、容易に着脱自在なものであれば、どのような構造であってもよい。また、座部の形状は、少なくとも後側面から上側面にかけて着座可能なものであれば、どのような形状であってもよい。さらに、上記の実施形態では、材料の入手性を考慮して、金属パイプにより各部を構成しているが、形状を維持して荷重に耐えられるものであれば、どのような素材からなるものであってもよい。
【符号の説明】
【００２８】
１  胴部
２  肩ベルト
３  把持部
４  脚部
５  座部
【図１】
0006667063.tif 000002
【図２】
0006667063.tif 000003
【図３】
0006667063.tif 000004
【図４】
0006667063.tif 000005
【図５】
0006667063.tif 000006
【図６】
0006667063.tif 000007